(57)【要約】【課題】  車室内のパネルに対する車載機器の取り付け及び取り外しをワンタッチで容易に行うことができるとともに、小さく、かつ、簡単な構成によって行うことができる車両における車載機器の取付構造を提供する。【解決手段】  センタークラスタ１１に設けられた開口１３の周縁２２には、左右一対のパネル側係止部２３が設けられている。オーディオ・ビデオ装置１２の操作パネル１５の裏側には、左右一対の機器側係止部２１が設けられている。各機器側係止部２１は、操作パネル１５の表面の一部を形成する解除操作キー１８ａ，１８ｂと共に操作パネル１５の基板１９にそれぞれ一体形成されている。そして、両解除操作キー１８ａ，１８ｂに対する押圧操作により、各パネル側係止部２３に対する機器側係止部２１の係止状態が解除される。【選択図】      図１
2005082133.tif 000002
【特許請求の範囲】
【請求項１】
車室内のパネルの開口に対して車載機器を取り付けるようにした車両における車載機器の取付構造であって、
前記開口の周縁に設けられたパネル側係止部に対し、車載機器に設けられた機器側係止部を係止させることで車載機器を固定することができるように構成するとともに、
前記車載機器の表側には、前記機器側係止部の係止状態を解除するための解除部を設けたことを特徴とする車両における車載機器の取付構造。
【請求項２】
前記解除部は、
前記車載機器における表側パネルの表面の一部をなす操作部と、
前記機器側係止部を前記パネル側係止部に係止するように支持するとともに、前記操作部に対する解除操作により、機器側係止部を係止状態から退避させる弾性支持部とからなることを特徴とする請求項１に記載の車両における車載機器の取付構造。
【請求項３】
前記操作部は、前記弾性支持部を介して表側パネルに一体形成され、前記機器側係止部は、前記操作部に一体形成されたことを特徴とする請求項２に記載の車両における車載機器の取付構造。
【請求項４】
前記表側パネルは、車載機器を操作するための複数のスイッチ操作キーが設けられた操作パネルであって、前記操作部は、前記スイッチ操作キーとほぼ同一の意匠をもつキーであることを特徴とする請求項２又は請求項３に記載の車両における車載機器の取付構造。
【請求項５】
前記操作部は、前記スイッチ操作キーとほぼ同一平面上に位置することを特徴とする請求項４に記載の車両における車載機器の取付構造。
【請求項６】
前記車載機器の奥側を、前記パネルの内方における車体の一部に設けた支持部材によって支持することを特徴とする請求項１〜請求項５のいずれか一項に記載の車両における車載機器の取付構造。
【発明の詳細な説明】
【技術分野】
【０００１】
本発明は、車両の車室に設けられたパネルの開口に対して車載機器を取り付けるようにした車両における車載機器の取付構造に関するものである。なお、ここでパネルとは、車載機器が取り付けられるパネルを意味し、例えば、インストルメントパネル、センタークラスタ、コンソールボックスの後面パネル、前席背もたれ部に設けられた後面パネル等をいう。また、車載機器とは、オーディオ機器、テレビ・ビデオ機器、ナビゲーション機器、メータクラスタ等をいう。
【背景技術】
【０００２】
近年、廃車後に、車両の各部材をリサイクルし易いように、分解が容易な構造とすることが求められている。車両に装備されるオーディオ機器、テレビ・ビデオ機器等についても、車両から容易に取り外せることが求められている。
【０００３】
従来、オーディオ装置等の車載機器を車両から容易に取り外すことを目的とした技術としては、前部座席の後面の開口部内にテレビ受像機を着脱可能に装着させるようにしたものがある（特許文献１参照。）。
【０００４】
また、別の技術として、カーオーディオ本体を、車室からコンソールの開口に差込むとともに、車両からの脱着を可能としたものがある（特許文献２参照。）。
【特許文献１】特開昭６３−１３３７６８号公報
【特許文献２】特開２００２−１２０６５４号公報
【発明の開示】
【発明が解決しようとする課題】
【０００５】
しかしながら、上記特許文献１に記載の技術は、車両の使用者が、テレビ受像装置を車両から自由に取り外して、車両内部だけでなく車両外部でも使用でき、使用後は再度車両に装着できるようにすることを狙ったものである。このため、使用者がテレビ受像機の着脱を容易に行い得るようにするための解除レバー等の機構を必要とし、構成が複雑である。
【０００６】
また、上記特許文献２には、コンソールに装着したカーオーディオ本体を固定したり、あるいは、取り外したりするための技術についてはなんら開示されていない。
本発明の目的は、車室内のパネルに対する車載機器の取り付け及び取り外しをワンタッチで容易に行うことができるとともに、小さく、かつ、簡単な構成によって行うことができる車両における車載機器の取付構造を提供することにある。
【課題を解決するための手段】
【０００７】
上記課題を解決するため、請求項１に記載の発明は、車室内のパネルの開口に対して車載機器を取り付けるようにした車両における車載機器の取付構造であって、前記開口の周縁に設けられたパネル側係止部に対し、車載機器に設けられた機器側係止部を係止させることで車載機器を固定することができるように構成するとともに、前記車載機器の表側には、前記機器側係止部の係止状態を解除するための解除部を設けたことを特徴とする。
【０００８】
従って、請求項１に記載の発明によれば、パネルの開口周縁に設けたパネル側係止部に、車載機器の表側パネルに設けた機器側係止部を係止させるだけの小さく、かつ、簡単な構成によって、パネルに対して車載機器を容易に取り付け固定することができる。また、表側パネルに、機器側係止部の係止状態を解除するための解除部を設けるだけの簡単な構成により、パネルから車載機器を容易に取り外すことができる。
【０００９】
請求項２に記載の発明は、請求項１に記載の発明において、前記解除部は、  前記車載機器における表側パネルの表面の一部をなす操作部と、前記機器側係止部を前記パネル側係止部に係止するように支持するとともに、前記操作部に対する解除操作により、機器側係止部を係止状態から退避させる弾性支持部とからなることを特徴とする。
【００１０】
従って、請求項２に記載の発明によれば、車載機器の表側パネルの表面にある操作部に対して所定の解除操作を加えることで、車載機器のパネルに対する固定状態を解除することができるので、車載機器の取り外しをより簡単に行うことができる。
【００１１】
請求項３に記載の発明は、請求項２に記載の発明において、前記操作部は、前記弾性支持部を介して表側パネルに一体形成され、前記機器側係止部は、前記操作部に一体形成されたことを特徴とする。
【００１２】
従って、請求項３に記載の発明によれば、取付構造が、より簡単なものとなる。
請求項４に記載の発明は、請求項３に記載の発明において、前記表側パネルは、車載機器を操作するための複数のスイッチ操作キーが設けられた操作パネルであって、前記操作部は、前記スイッチ操作キーとほぼ同一の意匠をもつキーであることを特徴とする。
【００１３】
従って、請求項４に記載の発明によれば、車両の通常使用時に操作部が目立たず、パネルの意匠性を損なわない。
請求項５に記載の発明は、請求項４に記載の発明において、前記操作部は、前記スイッチ操作キーとほぼ同一平面上に位置することを特徴とする。
【００１４】
従って、請求項５に記載の発明によれば、操作部がより目立たず、パネルの意匠性をより損なわない。
請求項６に記載の発明は、請求項１〜請求項５のいずれか一項に記載の発明において、前記車載機器の奥側を、前記パネルの内方における車体の一部に設けた支持部材によって支持することを特徴とする。
【００１５】
従って、請求項６に記載の発明によれば、車載機器が、その表側が開口側で支持されることに加え、その奥側が支持部材によって支持されるので、その固定状態がより安定したものとなる。
【発明の効果】
【００１６】
車室内のパネルに対する車載機器の取り付け及び取り外しをワンタッチで容易に行うことができるとともに、小さく、かつ、簡単な構成によって行うことができる車両における車載機器の取付構造を提供することができる。
【発明を実施するための最良の形態】
【００１７】
以下、本発明を具体化した一実施形態を図１〜図６に従って説明する。
図２に示すように、車両のインストルメントパネル１０に設けられたパネルとしてのセンタークラスタ１１には、車載機器としてのナビゲーション付きのオーディオ・ビデオ装置１２が取り付けられている。
【００１８】
すなわち、図１に示すように、オーディオ・ビデオ装置１２は、センタークラスタ１１に設けられた開口１３に車室側から取り付けられている。オーディオ・ビデオ装置１２の本体１４の前側（すなわち、車室側。）には、表側パネルとしての操作パネル１５が設けられ、この操作パネル１５の中央の開口内にモニター１６が位置している。
【００１９】
操作パネル１５は、本体１４の表面から左右に張り出す合成樹脂製の基板１９に、電源入切用、機能切換用等の複数のスイッチ操作キー１７ａ，１７ｂ，１７ｃ，１７ｄと、操作部としての解除操作キー１８ａ，１８ｂとを備えている。スイッチ操作キー１７ａ，１７ｂ，１７ｃ，１７ｄと解除操作キー１８ａ，１８ｂとは、基板１９の左右張り出し部に設けられている。また、各スイッチ操作キー１７ａ〜１７ｄ及び両解除操作キー１８ａ，１８ｂは、同一の意匠で、かつ、同一平面上に配置されている。
【００２０】
図５に示すように、各解除操作キー１８ａ，１８ｂ（但し、１８ａのみ図示。）は、基板１９の中央部に対してそれぞれ弾性支持部としての可撓部２０を介して一体形成されている。また、図３，５に示すように、各解除操作キー１８ａ，１８ｂの裏側には、本体１４の奥側に延びる機器側係止部２１がそれぞれ一体に設けられている。各機器側係止部２１は、外向きに突出する爪部２１ａを有している。本実施形態では、解除操作キー１８ａ，１８ｂ及び可撓部２０が解除部を構成する。
【００２１】
一方、図１，５に示すように、センタークラスタ１１に設けられた開口１３における周縁２２の左右両側には、板状のパネル側係止部２３が一体にそれぞれ突設されている（但し、図１，５には、それぞれ片方のみ図示する。）。両パネル側係止部２３には、オーディオ・ビデオ装置１２が開口１３から押し込まれたときに、両機器側係止部２１の爪部２１ａが係止可能となっている。
【００２２】
また、図１に示すように、本体１４の後面には突起２４が設けられている。突起２４は、オーディオ・ビデオ装置１２がセンタークラスタ１１の開口１３に押し込まれたときに、図４に示すように、インストルメントパネル１０の内方における車体の一部に設けられた支持部材としてのインパネ基材２５の孔２５ａに嵌入される。
【００２３】
次に、前記のように構成された本実施形態の作用を説明する。
オーディオ・ビデオ装置１２をセンタークラスタ１１に取り付けるときには、図６に示すように、その本体１４を開口１３から押し込む。すると、左右の機器側係止部２１の爪部２１ａが、左右のパネル側係止部２３の先端にそれぞれ当接し、各可撓部２０が撓んで各爪部２１ａがパネル側係止部２３の先端にそれぞれ係止される。同時に、本体１４の後面に設けられた突起２４がインパネ基材２５の孔２５ａに嵌入する。
【００２４】
この結果、オーディオ・ビデオ装置１２は、その前側が開口１３の周縁２２によって支持されるとともに、両側がパネル側係止部２３に係止され、その後側が突起２４によってインパネ基材２５に支持される。これによってオーディオ・ビデオ装置１２は、開口１３に対して上下、左右方向及び取り出し方向での移動が規制される。
【００２５】
一方、オーディオ・ビデオ装置１２をセンタークラスタ１１から取り外すときには、図５に示すように、左右の解除操作キー１８ａ，１８ｂを押圧する。すると、２点鎖線で示すように、各可撓部２０が撓んで各機器側係止部２１が本体１４側に変位し、パネル側係止部２３に対する係止状態が解除される。
【００２６】
この状態で、例えば、オーディオ・ビデオ装置１２と開口１３との隙間から差込んだ薄い金属具をオーディオ・ビデオ装置１２に引っかけて車室側に引き出すことで、オーディオ・ビデオ装置１２をセンタークラスタ１１から取り外すことができる。
【００２７】
従って、この実施形態によれば以下の効果を得ることができる。
（１）  この実施形態では、センタークラスタ１１の開口１３の周縁２２に設けた左右一対のパネル側係止部２３に、オーディオ・ビデオ装置１２の操作パネル１５の裏面に設けた左右一対の機器側係止部２１を係止させるようになっている。また、操作パネル１５の基板１９に対し、可撓部２０を介して一体に設けられた解除操作キー１８ａ，１８ｂを押圧操作すると、機器側係止部２１の係止状態が解除される。従って、オーディオ・ビデオ装置１２のセンタークラスタ１１に対する取り付け及び取り外しのための機構がより小さく、かつ、簡単ですむものとなる。
【００２８】
（２）  操作パネル１５の表面に露出する解除操作キー１８ａ，１８ｂに対して押圧操作を行うことよりセンタークラスタ１１に対するオーディオ・ビデオ装置１２の固定状態を解除することができるので、オーディオ・ビデオ装置１２の取り外しをワンタッチで容易に行うことができる。
【００２９】
（３）  解除操作キー１８ａ，１８ｂが、複数のスイッチ操作キー１７ａ〜１７ｄと同一の意匠で、かつ、同一の平面上に配置されているので、車両の通常使用時に解除操作キー１８ａ，１８ｂが目立たず、センタークラスタ１１の意匠性を損なわない。
【００３０】
（４）  オーディオ・ビデオ装置１２の本体１４の後端がインパネ基材２５によって支持されるので、その固定状態がより安定したものとなる。
なお、この実施形態は、次のようにして具体化することも可能である。
【００３１】
・  前記実施形態において、オーディオ・ビデオ装置１２の本体１４後面に突起２４を設けず、パネル側係止部２３に対して機器側係止部２１を係止させるだけでセンタークラスタ１１にオーディオ・ビデオ装置１２を固定する構成とすること。
【００３２】
・  前記実施形態において、操作パネル１５を、スイッチ操作キー１７ａ〜１７ｄを備えず、モニター１６に設けられたタッチパネル方式で操作されるオーディオ・ビデオ装置１２の表側パネルとした構成とすること。
【００３３】
・  本発明を、インストルメントパネルに取り付けられるメータクラスタの取付構造に具体化すること。
・  本発明を、センターコンソールの後面パネル、あるいは、前席の背もたれ部後面パネルに取り付けられる後席乗員用のオーディオ・ビデオ装置の取付構造に具体化すること。
【００３４】
以下、前記各実施形態から把握される技術的思想をその効果とともに列記する。
・  車室内のパネルの開口に対して車載機器を取り付けるようにした車両における車載機器の取付方法であって、前記開口の周縁に設けられたパネル側係止部に対し、車載機器に設けられた機器側係止部を係止させることで車載機器を固定するとともに、前記車載機器の表側に設けた解除部に対する解除操作により前記機器側係止部の係止状態を解除することを特徴とする車両における車載機器の取付方法。
【図面の簡単な説明】
【００３５】
【図１】本実施形態の取付構造を示す斜視図。
【図２】オーディオ・ビデオ装置が取り付けられたインストルメントパネルを示す斜視図。
【図３】オーディオ・ビデオ装置の操作パネルを示す側面図。
【図４】センタークラスタの側面図。
【図５】取付後の機器側係止部及びパネル側係止部を示す平面図。
【図６】取付時の機器側係止部及びパネル側係止部を示す平面図。
【符号の説明】
【００３６】
１０…インストルメントパネル、１１…パネルとしてのセンタークラスタ、１２…車載機器としてのオーディオ・ビデオ装置、１３…開口、１５…表側パネルとしての操作パネル、１７ａ〜１７ｄ…スイッチ操作キー、１８ａ，１８ｂ…解除部及び操作部としての解除操作キー、２０…解除部及び弾性支持部としての可撓部、２１…機器側係止部、２２…（開口の）周縁、２３…パネル側係止部、２５…支持部材としてのインパネ基材。
【図１】
2005082133.tif 000003
【図２】
2005082133.tif 000004
【図３】
2005082133.tif 000005
【図４】
2005082133.tif 000006
【図５】
2005082133.tif 000007
【図６】
2005082133.tif 000008